(57)【要約】【課題】容器口部と栓体とで構成される密封部分を効果的に封止し、かつ開封動作が簡単で、開封後はキャップ全体を容器から完全に除去することのできる優れた樹脂製キャップと、その樹脂製キャップを用いた容器を提供する。【解決手段】バイアル瓶１を栓体４で密封した状態で、その密封部分を封止するために用いられる樹脂製キャップ５であって、上記密封部分の周囲を側方から覆う周壁部６と、上記栓体４上面の周縁部６を覆う天面部７とが一体的に形成されており、上記周壁部６の一部および天面部７の一部を一続きで外側に引き出して切り取るための切り取りガイドとして、線状薄肉部９と線状隙間部９′とが設けられている。【選択図】図１
2008050057.tif 000002
【特許請求の範囲】
【請求項１】
略円筒状の口部を有する容器に対し、その口部に栓体を嵌合し密封した状態で、上記密封部分を封止するために用いられる樹脂製キャップであって、上記密封部分の周囲を側方から覆う周壁部と、上記栓体上面の少なくとも周縁部を覆う天面部とが一体的に形成されており、上記周壁部および天面部にまたがって、上記周壁部の一部および天面部の一部を一続きで外側に引き出して切り取るための切り取りガイドが設けられており、上記周壁部の一部および天面部の一部を一続きで外側に引き出して切り取ることにより、樹脂製キャップ全体が、容器口部と栓体からなる密封部分から除去されるようになっていることを特徴とする樹脂製キャップ。
【請求項２】
上記切り取りガイドとして、幅０．２〜１．０ｍｍ、厚み０．２〜０．８ｍｍの薄肉部が線状に設けられている請求項１記載の樹脂製キャップ。
【請求項３】
上記切り取りガイドとして、所定間隔ごとに微小な連結部が形成された幅０．２〜５．０ｍｍの切欠き線が設けられている請求項１記載の樹脂製キャップ。
【請求項４】
上記切り取りガイドによって切り取られるよう設定された天面部の一部に、天面部中心側から外側に向かう矢印表示が付与されている請求項１〜３のいずれか一項に記載の樹脂製キャップ。
【請求項５】
上記切り取りガイドによって切り取られるよう設定された天面部の一部に、周方向に延びる段差部が形成されている請求項１〜４のいずれか一項に記載の樹脂製キャップ。
【請求項６】
上記樹脂製キャップが、容器口部に対し、打ち込み可能に構成されている請求項１〜５のいずれか一項に記載の樹脂製キャップ。
【請求項７】
略円筒状の口部を有する容器に対し、その口部に栓体を嵌合し密封した状態で、請求項１〜６のいずれか一項の樹脂製キャップを用いて改ざん防止用の封止がなされていることを特徴とする樹脂製キャップ付容器。
【請求項８】
上記容器がガラス瓶からなり、上記栓体が高分子弾性体で形成されている請求項７記載の樹脂製キャップ付容器。
【請求項９】
上記高分子弾性体が、ロックウェル硬度２０〜９０の弾性体である請求項８記載の樹脂製キャップ付容器。
【請求項１０】
上記容器が、上記樹脂製キャップおよび栓体を除去し、その口部に、中身取り出し用ノズルもしくは開閉キャップを冠着して使用するものである請求項７〜９のいずれか一項に記載の樹脂製キャップ付容器。
【発明の詳細な説明】
【技術分野】
【０００１】
本発明は、バイアル瓶等の容器を栓体で密封した後、改ざん防止のために、さらにその密封部分を封止するために用いられる樹脂製キャップと、それを用いた樹脂製キャップ付容器に関するものである。
【背景技術】
【０００２】
従来から、バイアル瓶に代表されるような、略円筒状の口部を有する薬用瓶等は、上記口部にフランジ付栓体を嵌合して密封されるようになっている。そして、上記密封性をより高めるとともに第三者による改ざんを防止するために、その密封部分をアルミ等の軟質金属薄板で被覆したり、樹脂キャップに金属製の剥離用タブを取り付けた封止用キャップを冠着したりすることが行われている（例えば、特許文献１参照）。
【０００３】
しかしながら、アルミ等の軟質金属薄板で被覆したものは、きれいに開封するのに時間がかかり、開封用の工具等を用いると、栓体や瓶の口部を傷つけやすいという問題がある。また、金属製の剥離用タブを有する封止用キャップは、上記剥離用タブを大きくできないため、開封動作時に指をタブの中に入れて開けることが困難である。
【０００４】
そこで、このような封止用キャップを、樹脂だけで作製し、簡単に開封することができるものが提案されている（例えば、特許文献２参照）
【特許文献１】特許第２７３９４５５号公報
【特許文献２】特開平９−２３８９９８号公報
【発明の開示】
【発明が解決しようとする課題】
【０００５】
しかしながら、上記特許文献２の封止用キャップは、容器口部と嵌合する部分と、その部分に細い橋部を介して連結される天板とを備え、上記天板を引っ張って橋部を切断することにより天板を除去し、容器口部を蓋する栓体上面のみを露出させるようになっている。このため、上記露出した栓体上面に、注射針を刺して容器内の薬液を抜き取る等の用途には適しているものの、栓体を容器口部から取り外して中身を取り出す場合や、別途用意される中身取り出し用のノズルを上記栓体と取り替えて用いる場合等には、上記封止用キャップを用いることができないという問題がある。また、封止用キャップのうち、容器口部と嵌合する部分が容器側に残っていると、容器がガラス瓶の場合、ガラス製の瓶本体と、樹脂製の上記封止用キャップの残留部分とを、分別して廃棄するのに手間を要するという問題もある。
【０００６】
本発明は、このような事情に鑑みなされたもので、容器口部と栓体とで構成される密封部分を効果的に封止し、かつ開封動作が簡単で、開封後はキャップ全体を容器から完全に除去することのできる優れた樹脂製キャップと、その樹脂製キャップを用いた容器の提供を、その目的とする。
【課題を解決するための手段】
【０００７】
上記の目的を達成するため、本発明は、略円筒状の口部を有する容器に対し、その口部に栓体を嵌合し密封した状態で、上記密封部分を封止するために用いられる樹脂製キャップであって、上記密封部分の周囲を側方から覆う周壁部と、上記栓体上面の少なくとも周縁部を覆う天面部とが一体的に形成されており、上記周壁部および天面部にまたがって、上記周壁部の一部および天面部の一部を一続きで外側に引き出して切り取るための切り取りガイドが設けられており、上記周壁部の一部および天面部の一部を一続きで外側に引き出して切り取ることにより、樹脂製キャップ全体が、容器口部と栓体からなる密封部分から除去されるようになっている樹脂製キャップを第１の要旨とする。
【０００８】
また、本発明は、そのなかでも、特に、上記切り取りガイドとして、幅０．２〜１．０ｍｍ、厚み０．２〜０．８ｍｍの薄肉部が線状に設けられている樹脂製キャップを第２の要旨とし、上記切り取りガイドとして、所定間隔ごとに微小な連結部が形成された幅０．２〜５．０ｍｍの切欠き線が設けられている樹脂製キャップを第３の要旨とする。
【０００９】
さらに、本発明は、それらのなかでも、特に、上記切り取りガイドによって切り取られるよう設定された天面部の一部に、天面部中心側から外側に向かう矢印表示が付与されている樹脂製キャップを第４の要旨とし、上記切り取りガイドによって切り取られるよう設定された天面部の一部に、周方向に延びる段差部が形成されている樹脂製キャップを第５の要旨とし、上記樹脂製キャップが、容器口部に対し、打ち込み可能に構成されている樹脂製キャップを第６の要旨とする。
【００１０】
そして、本発明は、略円筒状の口部を有する容器に対し、その口部に栓体を嵌合し密封した状態で、上記第１〜第６のいずれかの要旨である樹脂製キャップを用いて改ざん防止用の封止がなされている樹脂製キャップ付容器を第７の要旨とする。
【００１１】
また、本発明は、そのなかでも、特に、上記容器がガラス瓶からなり、上記栓体が高分子弾性体で形成されている樹脂製キャップ付容器を第８の要旨とし、上記高分子弾性体が、ロックウェル硬度２０〜９０の弾性体である樹脂製キャップ付容器を第９の要旨とする。
【００１２】
そして、本発明は、それらのなかでも、特に、上記容器が、上記樹脂製キャップおよび栓体を除去し、その口部に、中身取り出し用ノズルもしくは開閉キャップを冠着して使用するものである樹脂製キャップ付容器を第１０の要旨とする。
【発明の効果】
【００１３】
すなわち、本発明の樹脂製キャップは、一体的に形成された周壁部と天面部によって、容器口部と栓体とで構成される密封部分を封止し、その密封性を高めるとともに、改ざん防止ができるようになっている。そして、開封して使用する場合には、上記周壁部と天面部にまたがって形成された所定の切り取りガイドにより、上記周壁部と天面部の一部を一続きで外側に引き出して切り取ることにより、これを完全に密封部分から除去することができるようになっているため、開封動作が簡単で、分別ごみとして廃棄処分することも簡単である。そして、容器がガラス瓶である場合、この容器を廃棄処分する際、樹脂部分が残留していないため、処分しやすいという利点を有する。
【００１４】
また、本発明の樹脂製キャップのなかでも、特に、上記切り取りガイドとして、幅０．２〜１．０ｍｍ、厚み０．２〜０．８ｍｍの薄肉部を線状に設けたもの、あるいは上記切り取りガイドとして、所定間隔ごとに微小な連結部が形成された幅０．２〜５．０ｍｍの切欠き線を設けたものは、周壁部と天面部の一部を一続きで外側に引き出して切り取る動作をスムーズに行うことができ、好適である。
【００１５】
さらに、本発明の樹脂製キャップのなかでも、特に、上記切り取りガイドによって切り取られるよう設定された天面部の一部に、天面部中心側から外側に向かう矢印表示を付与したものは、開封するためには、この部分を外側に引き出す動作が必要であることが一目でわかり、好適である。また、上記切り取りガイドによって切り取られるよう設定された天面部の一部に、周方向に延びる段差部を形成したものは、この部分を外側に引き出す動作を行なう際、上記段差部が手指の滑り止めとなるため、好適である。
【００１６】
そして、本発明の樹脂製キャップ付容器は、上記樹脂製キャップにより密封性が高められているとともに改ざん防止がなされているため、安全である。そして、上記樹脂製キャップの開封動作が容易で使い勝手がよい。また、すでに述べたように、分別ごみとして、上記樹脂製キャップおよび容器を別々に廃棄処分することができ、処分が容易である。
【００１７】
特に、上記樹脂製キャップによって封止される容器がガラス瓶からなり、その口部に嵌合される栓体が高分子弾性体で形成されているものは、口部形状の寸法や口部上面の平面度にばらつきや生じやすいガラス瓶において、高い密封性を確保することができ、好適である。
【００１８】
さらに、本発明の樹脂製キャップ付容器は、樹脂製キャップが容器口部から完全に除去されるようになっており、しかもその除去の際、容器口部を傷つけたりすることのない構造になっているため、この容器口部を利用して、その口部に、中身取り出し用ノズルや開閉キャップを冠着して使用する用途に用いることが最適であり、例えば、薬用瓶の他、乳液や美容エッセンス等を収容する化粧料容器として用いることが好適である。
【発明を実施するための最良の形態】
【００１９】
つぎに、本発明を実施するための最良の形態について説明する。ただし、本発明は、この実施の形態に限られるものではない。
【００２０】
図１は、本発明の最良の実施形態の一例を示す斜視図、図２は、そのＡ−Ａ′断面図、図３（ａ）は、その平面図である。これらの図において、１はガラス製のバイアル瓶で、胴部２と、胴部２より縮径された略円筒状の口部３とを備えている。なお、上記口部３の上端部には、外向きのフランジ部３ａが形成されている。
【００２１】
また、上記バイアル瓶１の口部３には、有天筒状の栓体４が嵌合されており、この嵌合によって、バイアル瓶１内が密封されている。なお、上記栓体４の上端部にも外向きのフランジ部４ａが形成されており、このフランジ部４ａの下面が、バイアル瓶１のフランジ部３ａの上面に係合することにより、両者間の密封性が高められている。
【００２２】
そして、上記バイアル瓶１の口部３と栓体４とで構成される密封部分には、樹脂製キャップ５が冠着されている。上記樹脂製キャップ５は、ポリプロピレンの一体成形品からなり、上記密封部分の周囲を側方から覆う周壁部６と、上記栓体４の上面の周縁部を環状に覆う天面部７とを備えている。また、上記天面部７の周縁部には、上向きに環状突起８が設けられている。なお、上記樹脂製キャップ５の冠着は、樹脂製キャップ５を、バイアル瓶１の口部３に打ち込んで両者を嵌合させるとによって行われるのであり、樹脂製キャップ５を、そのままの状態で口部３から外すことはできないようになっている。
【００２３】
すなわち、上記周壁部６の内周面下端部には、上記樹脂製キャップ５の底面図である図３（ｂ）に示すように、断続的に内側に突出する突条６ａが設けられており、この部分が、上記バイアル瓶１のフランジ部３ａに、上記打ち込みによって、無理嵌めされた状態で係合している。また、上記天面部７の下面内側には、下向きに環状突起７ａが設けられており、上記環状突起７ａとバイアル瓶１のフランジ部３ａとの係合によって、上記天面部７の環状突起７ａが、栓体４の上面を押圧するようになっている。したがって、上記樹脂製キャップ５の冠着により、上記バイアル瓶１の口部３と栓体４との密封部分の密封性がさらに高められた状態で封止されている。
【００２４】
そして、上記樹脂製キャップ５には、周壁部６と環状突起８にまたがって上下方向に延びる線状薄肉部９が２本、所定間隔で設けられている。この２本の線状薄肉部９は、上記環状突起８の根元部まで延びている。そして、天面部７においては、上記２本の線状薄肉部９に連なる部分が、それぞれ幅の狭い線状隙間部９′になっており、図３（ａ）に示すように、天面部７の外周縁から中心に向かって、互いに７５°の角度をなすよう延びている。
【００２５】
上記周壁部６に設けられる線状薄肉部９は、幅０．８ｍｍ、厚み０．４ｍｍで、その部分の強度が、他の部分より弱くなっている。また、上記天面部７に設けられる線状隙間部９′の隙間幅も、線状薄肉部９と同様、０．８ｍｍに設定されている。そして、天面部７のうち、上記線状隙間部９′に挟まれた扇状部分７′は、その内側縁部が、キャップ中心側に向かって張り出しており、その厚みも、中心側にいく程薄くなっている。しかも、上記扇状部分７′の張り出した部分が、図１および図２に示すように、上向きに反っており，その表面中央に、深さ０．２ｍｍの凹状部からなる矢印表示５０が形成されている。
【００２６】
したがって、上記矢印表示５０に従って、上記扇状部分７′の、上向きに反っている延設部に指をかけ、この部分を外側に引き出すと、上記扇状部分７′が、外側に引き出されるとともに、周壁部６の、２本の線状薄肉部９に挟まれた部分が切断されて、上記扇状部分７′と周壁部６の部分とが、一続きで切り取られるようになっている。そして、このようにして上記一続きの部分が切り取られると、樹脂製キャップ５の残部は、周方向の締め付け力を失い、バイアル瓶１の口部３から簡単に外れるようになっている。
【００２７】
このように、上記樹脂製キャップ５が冠着されたバイアル瓶１は、その口部３と栓体４とで構成される密封部分が、上記樹脂製キャップ５の打ち込みによって封止され、その密封性が高めされているとともに、改ざん防止がなされており、安全である。
【００２８】
そして、使用する場合には、すでに述べたように、天面部７のうち、２本の線状隙間部９′に挟まれた扇状部分７′を外側に引き出して周壁部６の部分と一続きで切り取る、という簡単な動作によって、樹脂製キャップ５全体を、バイアル瓶１の口部３の周囲から完全に除去して、口部３と栓体４の嵌合部を露出させることができる。そして、このときの動作によって、バイアル瓶１の口部３が傷つくようなことがない。さらに、密封部分から除去された樹脂製キャップ５は、分別ごみとして、簡単に廃棄処分することができる。
【００２９】
また、上記バイアル瓶１は、例えば図４に示すように、栓体４を外して、中身を少量ずつ取り出すことのできる樹脂製ノズル１０を冠着して使用する場合があるが、その場合も、上記樹脂製キャップ５の除去時に、バイアル瓶１の口部３、特にそのフランジ部３ａの外周面が傷つくことがないため、上記ノズル１０と口部３との密封性が高く、液垂れしたりすることがないという利点を有する。また、栓体４に代えて、開閉式の樹脂キャップを口部３に冠着する場合も、同様の利点を有する。
【００３０】
なお、上記の例において、樹脂製キャップ５の材質は、ポリプロピレンに限らず、各種の樹脂を用いることができるが、可撓性、成形性等の点から、ポリプロピレン、ポリエチレン、ＬＬＤＰＥ（直鎖状ポリエチレン）等のオレフィン系樹脂を用いることが好適である。
【００３１】
また、上記の例において、樹脂製キャップ５の周壁部６の一部を切り取るための切り取りガイドとして設けられる線状薄肉部９の幅と厚みは、上記の例に限らず、樹脂製キャップ５の材質に応じて、その部分を人の指で簡単に切り取ることができる程度に設定される。通常、その幅は０．２〜１．０ｍｍに設定し、その厚みは０．２〜０．８ｍｍに設定することが好適である。また、天面部７に設けられる、上記線状薄肉部９に連なる線状隙間部９′の幅は、通常、上記線状薄肉部９の幅と同一に設定される。
【００３２】
なお、上記樹脂製キャップ５の周壁部６の一部を切り取るための切り取りガイドとして、線状薄肉部９に代えて、所定間隔ごとに微小な連結部が形成された切欠き線を設けるようにしてもよい。上記切欠き線を、線状薄肉部９と同様の配置で設け、その２本の切欠き線に挟まれた部分を、人の指で外側に引き出しながら、上記微小な連結部を切り取ることにより、同様の作用効果を得ることができる。このような切欠き線を設ける場合、その幅は、樹脂製キャップ５の材質や連結部の大きさ、間隔等にもよるが、通常、０．２〜５．０ｍｍに設定することが好適である。また、上記樹脂製キャップ５の天面部７に設けられる２本の線状隙間部９′を、完全な隙間にしないで、周壁部６に設けられる線状薄肉部９や、微小な連結部を有する切欠き線と同様の構成にしても差し支えない。
【００３３】
そして、上記の例では、天面部７に設けられた２本の線状隙間部９′に挟まれた扇状部分７′を外側に引き出しやすくするために、この扇状部分７′に、キャップ中心側に向かう延設部を設けて、この部分を指かけ部として有効に機能するべく上向きに反らせるようにしたが、扇状部分７′を外側に引き出すための構成は、この例に限らず、どのようなものであってもよい。例えば、扇状部分７′の上面を、キャップ中心側に向かって下り傾斜となるテーパ面に形成し、この面および環状突起８の上面に、周方向に延びる段差部を設けて指かけ部とし、この段差部に指をかけて外側に引き出すようにすることができる。
【００３４】
上記段差部を設けた例を、図５（ａ）に示す。この樹脂製キャップ６０は、扇状部分７′の上面および環状突起８の上面に、周方向に延びる所定長さの凸条５１が、所定の配置で平行に並んで形成されており、全体として、上記凸条５１の凹凸によって、キャップ中心側から外側に向かう２個の矢印が認識されるようなデザインになっている。この構成によれば、上記凸状５１に指をかけて外側に引き出す動作が必要であることが、一目でわかるだけでなく、その動作を行なう際、凸状５１による凹凸が指の滑り止めとなり、指に力を入れて引き出しやすいという利点を有する。
【００３５】
また、上記段差部を設けた他の例を，図５（ｂ）に示す。この樹脂製キャップ６１は、上記周方向に延びる凸条５１に代えて、扇状部分７′の上面および環状突起８の上面に、周方向に延びる凹条５２が多数本、平行に並んで形成されている。ただし、上記凹条５２が、適宜の間隔で断続的に形成されているため、全体として、その凹凸が形成されていない部分によって、キャップ中心側から外側に向かう２個の矢印が認識されるようなデザインになっている。このものも、上記樹脂製キャップ６０と同様の効果を奏する。
【００３６】
さらに、他の例を、図６（ａ）に示す。この樹脂製キャップ６２は、扇状部分７′に連なる環状突起８の上面の幅を、上記図５（ａ）の例や同図（ｂ）の例に比べて細くすることにより、扇状部分７′のテーパ面の面積を大きくして、外側に引き出しやすくしたもので、そのテーパ面の表面には、ごく浅く突出する２個の三角形からなる矢印表示５３が設けられている。このものも、上記樹脂製キャップ６０、６１と同様の効果を奏する。
【００３７】
また、図６（ｂ）に示す樹脂製キャップ６３のように、環状突起８の上面から扇状部分７′のテーパ面にかけて、その全体に、周方向に延びる凸条５４を多数本、平行に設けるようにしてもよい。この構成によれば、指のかかりがさらによくなり、この部分を強く外側に引き出すことができる。
【００３８】
なお、これらの例は、扇状部分７′を，キャップ中心側から外側に引き出すために、扇状部分７′の上面をテーパ面にしているが、このようなテーパ面を設けず、天面部７の周縁部に設けられた上向きの環状突起８に直接指をかけて、扇状部分７′を外側に引き出すようにしても差し支えない。その一例を、図７に示す。また、図８（ａ）は、図７のＪ−Ｊ′断面図であり、図８（ｂ）はその平面図である。
【００３９】
この樹脂製キャップ５′は、周壁部６と環状突起８にまたがって上下方向に延びる２本の線状薄肉部９と、上記環状突起８の根元部から天面部７に延びる２本の線状薄肉部９″が設けられているシンプルな構造で、上記２本の線状薄肉部９″は、図８（ｂ）に示すように、天面部７の外周縁から中心に向かって、互いに６０°の角度をなすよう延びている。
【００４０】
そして、上記２本の線状薄肉部９″に挟まれた扇状部分７′の上面には、その外側に設けられた環状突起８の部分をさらに外側に引き出すことを示す、ごく浅い凹状部からなる２個の矢印表示５５が形成されている。
【００４１】
なお、これらの例のうち、樹脂製キャップ５、５０、６２、５′において、扇状部分７′に設けられた矢印表示は、必ずしも必要ではなく、凹凸による矢印表示に代えて、印刷で矢印表示を行なったり、シールを貼ったりしてもよい。もちろん、何ら矢印表示を設けず、開封動作に関する説明表示を、容器の他の部分に付したり、別途、リーフレット等を添付するようにしてもよい。ただし、上記樹脂製キャップ５等のように、凹凸によって矢印表示を設けると、その段差部が、扇状部分７′を押し出す際の指のかかりをよくするため、好適である。また、同様に、上記樹脂製キャップ６０、６１において、扇状部分７′に設けられた凸条５１や凹条５２の凹凸によって、矢印を認識させるようなデザインにすることは、必ずしも必要ではない。
【００４２】
さらに、本発明において、樹脂製キャップ５等の一部を切り取り除去するための構成は、これらの例に限らず、いろいろなパターンにすることができる。
【００４３】
例えば、他の例として、図９（ａ）に示す樹脂製キャップ２０をあげることができる。なお、図９（ｂ）は、図９（ａ）の平面図、図１０（ａ）は、図９（ｂ）のＢ−Ｂ′矢視図、図１０（ｂ）は、同じく図９（ｂ）のＣ−Ｃ′断面図である。
【００４４】
このものは、基本的な構成は、前記樹脂製キャップ５と同様であり、同一部分に同一番号を付して、その説明を省略するが、切り取りガイドとして、周壁部６および天面部７に、所定間隔ごとに微小な連結部１１を有する２本の切欠き線１２ａ、１２ｂが設けられている。なお、上記切り取りガイドのうち、周壁部６に設けられた一方の切欠き線１２ａは、周壁部６を上下方向に完全に横切り、もう一方の切欠き線１２ｂは、上記切欠き線１２ａと平行で、周壁部６の下端には到達しない配置になっている。
【００４５】
また、上記２本の切欠き線１２ａ、１２ｂに挟まれた部分Ｒの上端部には、天面部７の上に水平に配されるリング体１３が連結されており、上記リング体１３と、天面部７の周縁部から上向きに設けられる環状突起８との隙間１４が、上記切欠き線１２ａ、１２ｂとつながっている。そして、上記隙間１４にも、上記切欠き線１２ａ、１２ｂと同様の微小な連結部１１が、左右に２個形成されている。
【００４６】
したがって、上記リング体１３のうち、上記周壁部６の部分Ｒに対峙する部分に指をかけ、図９（ａ）において矢印Ｓで示すように、これを上方に引き上げると、隙間１４に設けられた連結部１１と、各切欠き線１２ａ、１２ｂの連結部１１が、順次切り離されて、最終的に、リング体１３と、周壁部６の部分Ｒと、同じく切欠き線１２ａ、１２ｂで挟まれた天面部７の部分とが、一続きで切り取られるようになっている。この構成により、上記樹脂製キャップ２０は、前記樹脂製キャップ５と同様の効果を得ることができる。
【００４７】
また、異なる例として、図１１（ａ）に示す樹脂製キャップ３０をあげることができる。なお、図１１（ｂ）は、図１１（ａ）の平面図、図１２（ａ）は、図１１（ｂ）のＤ−Ｄ′矢視図、図１２（ｂ）は、同じく図１１（ｂ）のＥ−Ｅ′断面図である。
【００４８】
このものも、基本的な構成は、上記樹脂製キャップ２０と同様であり、同一部分に同一番号を付して、その説明を省略するが、リング体１３を、周壁部６および天面部７と同一径に拡径したもので、リング体１３の下面と、天面部７に設けられた環状突起８の上面との間に、隙間２１を有し、この隙間２１が、周壁部６の、２本の切欠き線１２ａ、１２ｂつながっている。そして、上記隙間２１の、周壁部６の部分Ｒと反対側の位置に、上記リング体１３の下面と、天面部７の上面とを連結する微小な連結部１１′が形成されている。なお、上記天面部７の上面には、上記樹脂製キャップ２０と同様、環状突起８が設けられているが、この環状突起８のうち、周壁部６の部分Ｒと反対側の部分が、所定幅だけ切欠かれており、この切欠き部２２に、指をかけることができるようになっている。
【００４９】
したがって、上記切欠き部２２に指をかけて連結部１１′を切断し、図１１（ａ）において矢印Ｔで示すように、リング体１３を上方に引き上げると、隙間２１が開いて、各切欠き線１２ａ、１２ｂの連結部１１が切り離されて、最終的に、リング体１３と、周壁部６の部分Ｒと、同じく切欠き線１２ａ、１２ｂで挟まれた天面部７の部分とが、一続きで切り取られるようになっている。この構成により、上記樹脂製キャップ３０は、前記樹脂製キャップ５と同様の効果を得ることができる。
【００５０】
そして、さらに異なる例として、図１３（ａ）に示す樹脂製キャップ４０をあげることができる。なお、図１３（ｂ）は、図１３（ａ）の平面図、図１４（ａ）は、図１３（ｂ）のＦ−Ｆ′矢視図、図１４（ｂ）は、同じく図１３（ｂ）のＧ−Ｇ′矢視図である。
【００５１】
このものは、天面部７が、バイアル瓶１の口部３に嵌合された栓体４（図１参照）の上面を、全面的に覆う構造になっており、この天面部７を、周壁部６から延びる２本の切欠き線１２ａ、１２ｂが図示のように横切って、周壁部６の部分Ｒの反対側に到達している。そして、周壁部６において、部分Ｒと反対側の、上記２本の切欠き線１２ａ、１２ｂが天面部７を経由して到達した部分は、図１４（ｂ）に示すように、所定幅だけ切欠かれており、この切欠き部２５に、指をかけることができるようになっている。他の部分は、前記樹脂製キャップ５と同様であり、同一部分に同一番号を付して、その説明を省略する。
【００５２】
したがって、上記切欠き部２５に指をかけ、図１３（ａ）において矢印Ｕで示すように、天面部７の、２本の切欠き線１２ａ、１２ｂに挟まれた部分Ｖを上方に引き上げると、各切欠き線１２ａ、１２ｂの連結部１１が順次切り離されて、最終的に、天面部７の部分Ｖと、周壁部６の部分Ｒとが、一続きで切り取られるようになっている。この構成により、上記樹脂製キャップ４０は、前記樹脂製キャップ５と同様の効果を得ることができる。しかも、この例によれば、天面部７が栓体４（図１参照）の上面を全面的に覆っているため、上記栓体４に注射針を刺して異物を混入させる等のトラブルを排除することができ、より安全なものとなる。
【００５３】
なお、上記樹脂製キャップ２０、３０、４０は、その周壁部６が、円筒状ではなく、逆円錐台状になっている。これは、上記樹脂製キャップ２０等の対象容器が、比較的口部３の小さいバイアル瓶１（図１参照）であり、そのままでは、樹脂製キャップ２０等に設けられた指をかける部分が小さいため、少なくともキャップ上面を大きくして、指をかける部分が大きくなるよう考慮したものである。したがって、比較的口部の大きな容器であって、指をかける部分を大きく設定できるものを対象とする場合には、周壁部６を逆円錐台状にする必要はない。
【００５４】
また、図１３（ａ）に示す樹脂製キャップ４０と同様、天面部７の一部を上方に引き上げて、天面部７と周壁部６にまたがる部分を一続きで切り取るタイプの他の例として、図１５（ａ）に示す樹脂製キャップ６４をあげることができる。なお、図１５（ｂ）は、図１５（ａ）のＨ−Ｈ′断面図である。
【００５５】
このものは、上記樹脂製キャップ４０と同様、天面部７が、バイアル瓶１の栓体４の上面を覆う構造になっており、周壁部６から天面部７にかけて、所定間隔ごとに微小な連結部１１を有する２本の切欠き線１２ａ、１２ｂが設けられている。そして、上記樹脂製キャップ４０と同様、一方の切欠き線１２ａは、周壁部６を上下方向に完全に横切り、もう一方の切欠き線１２ｂは、図では見えないが、上記切欠き線１２ａと平行で、周壁部６の下端には到達しない配置になっている。また、上記天面部７のうち、キャップ中心側の略円形部分Ｗが、上記２本の切欠き線１２ａ、１２ｂに挟まれた周縁部６の部分Ｒに連なる立ち上がり部６５を介して、所定高さだけ上方に浮き上がった構成になっている。
【００５６】
したがって、上記浮き上がった略円形部分Ｗの一端側と天面部７との間の隙間部に指をかけて、図１５（ｂ）において矢印Ｘで示すように、上記略円形部分Ｗを上方に引き上げると、各切欠き線１２ａ、１２ｂの連結部１１が順次切り離されて、最終的に、天面部７の略円形部分Ｗと、これに連なる周壁部６の部分Ｒとが、一続きで切り取られるようになっている。この構成により、上記樹脂製キャップ６４は、前記樹脂製キャップ５等と同様の効果を奏することができる。
【００５７】
なお、これらの樹脂製キャップ２０等において設けられる切欠き線１２ａ、１２ｂのうち、周壁部６に設けられる１本の切欠き線１２ａは、周壁部６の下端まで到達し、もう１本の切欠き線１２ｂは、周壁部６の下端まで到達していない。これは、片方の切欠き線１２ａが切り離された時点で、他の部分がつながっていても、樹脂製キャップ２０等をバイアル瓶１（図１参照）の口部３から外すことができるのであり、全体を一続きで外すことができるよう考慮したものである。しかし、図１の樹脂製キャップ５と同様、２本の切欠き線１２ａ、１２ｂを、ともに周壁部６の下端まで到達させても差し支えない。
【００５８】
そして、これらの切欠き線１２ａ、１２ｂを、図１に示すような線状薄肉部９に置き換えるようにしても差し支えない。
【００５９】
また、本発明の樹脂製キャップ５等を取り付ける容器としては、バイアル瓶１に限らず、各種の容器を用いることができる。ただし、樹脂製キャップ５等を冠着させる必要から、略円筒状口部３を有し、その口部３を栓体４で密封する構造のものでなければならない。
【００６０】
図１６に、本発明を、美容液等の化粧料を少量収容する化粧料容器に適用した例を示す。この化粧料容器の本体１′は、ガラス瓶からなり、その口部３（図１８参照）に、図１と略同一の樹脂製キャップ５が取り付けられている。この例においても、上記樹脂製キャップ５は、本体１′の口部３に、打ち込みによって冠着されており、そのままでは外れないようになっている。そして、この樹脂製キャップ５の天面部７の、２本の線状隙間部９′に挟まれた扇状部分７′は、図１６の平面図である図１７に示すように、図１に示す例に比べて、平面方向に広い面積で張り出しており、その内側縁部が、図１７のＩ−Ｏ−Ｉ′断面図である図１８に示すように、外側縁部よりも高く反り返っている。なお、上記線状隙間部９′の、中心Ｏに対する角度は、図１７に示すように設定されている。
【００６１】
また、上記樹脂製キャップ５の周壁部は、図１に示す例に比べて、下向きに長く延びており、本体１′の縮径された口部３の大部分を覆うようになっている。これは、本体１′の口部３周辺を、より衛生的に保つことを考慮したものである。それ以外の構成は、図１と同一であり、同一部分に同一番号を付して、その説明を省略する。
【００６２】
なお、上記本体１′を構成するガラス瓶は、一般に、口部３の形状寸法や口部３上面の平面度にばらつきが生じやすいため、口部３と栓体４′との密封性を高めるために、この例では、特に、高分子弾性体で形成された栓体４′を用いている。
【００６３】
上記栓体４′は、口部３と嵌合するボス部４ｂが、図１９に示すように、口部３の開口径よりやや大径に設定されているだけでなく、その上面に、周方向に４個（９０°等配）の突起７０が形成されている。そして、上記４個の突起７０の、それぞれ外側の半分（図１９において太矢印Ｋで示す部分）が、その上から冠着される樹脂製キャップ５の下向きの環状突起７ａによって強く押圧されるようになっているため、その４点にかかる押圧力によって、栓体４′のフランジ部４ａが、口部３のフランジ部３ａと、より強く密着するようになっている。
【００６４】
また、上記栓体４′の上面の中心側は、周囲よりも凹んだ凹部７１が形成されており、その凹部７１内に、小径の環状突起７２が形成されている。この構成によれば、栓体４′のフンラジ部４ａとボス部４ｂが厚肉であるにもかかわらず、その中心側の部分が比較的薄肉になっているため、上記環状突起７２を親指（もしくは人指し指）で押し付けながらフランジ部４ａを人指し指（もしくは親指）でめくるようにして容易に持ち上げることができ、栓体４′を口部３から簡単に外すことができる。
【００６５】
したがって、この化粧料容器によれば、前記一連のバイアル瓶１と同様、その口部３と栓体４′とで構成される密封部分が、上記樹脂製キャップ５によって封止され、その密封性が高められているとともに、改ざん防止がなされているだけでなく、以下の利点をさらに有する。すなわち、この例では、本体１′が、非常に容積の小さい、小径のガラス瓶であるが、樹脂製キャップ５の扇状部分７′が中心側に張り出して他の部分より高く反り返っているため、この部分を外側に引き出して切断しやすいという利点を有する。また、すでに述べたように、樹脂製キャップ５の周壁部６が、口部３の大部分を覆っているため、口部３周辺が汚れにくく、衛生的であるという利点を有する。
【００６６】
しかも、口部３に嵌合される栓体４′が、高分子弾性体で形成されているため、口部３の形状に多少のばらつきがあっても、そのばらつきを吸収して、口部３と強固に密着して高い密封性を確保することができる。そして、栓体４′の上面形状に、４個の突起７０を設けているため、樹脂製キャップ５の冠着により、栓体４′をより強く口部３側に押圧して密着させることができる。そして、栓体４′の上面に設けられた凹部７１と環状突起７２により、口部３に強固に密着した栓体４′を、指先で簡単に外すことができ、使い勝手がよいという利点を有する。
【００６７】
この化粧料容器は、口部３から直接、中身の化粧料を取り出して使用する用途に用いてもよいが、例えば、前記バイアル瓶１の場合（図４参照）と同様、栓体４′を外した口部３に、図２０に示すように、別途用意される樹脂製ノズル８０を取り付けて、化粧料を少量ずつ取り出して使用する用途に用いることができる。
【００６８】
なお、上記化粧料容器において、栓体４′に用いる高分子弾性体は、弾性を有するものであれば、特に限定するものではないが、ガラス製の口部３に対する密着性の点から、ロックウェル硬度が２０〜９０のものが好適に用いられる。このような高分子弾性体としては、ゴム弾性を備えたものや、発泡によって弾性が付与された樹脂等があげられ、より具体的には、シリコーンゴム、ブチルゴム、ニトリルゴム、弾性ポリプロピレン、弾性ポリエチレン（高密度ポリエチレン、低密度ポリエチレンを含む）等があげられる。
【００６９】
また、上記の例では、栓体４′の上面に、突起７０や凹部７１、環状突起７２を設けているが、本発明において、これらの構成は、必ずしも必要はない。そして、上記化粧料容器に用いる樹脂製キャップ５も、図１６以下に示すものに限らず、前記一連の、各種の形状のものを用いることができる。
【００７０】
そして、この化粧料容器は、化粧料に限らず、少量の液体や粉体を高い気密性を保った状態で収容するための容器として広く用いることができる。
【図面の簡単な説明】
【００７１】
【図１】本発明の一実施例を示す斜視図である。
【図２】図１のＡ−Ａ′断面図である。
【図３】（ａ）は上記実施例に用いた樹脂製キャップの平面図、（ｂ）はその底面図である。
【図４】上記実施例の使用態様の説明図である。
【図５】（ａ）、（ｂ）は、ともに、本発明の他の実施例を示す斜視図である。
【図６】（ａ）、（ｂ）は、ともに、本発明のさらに他の実施例を示す斜視図である。
【図７】本発明の他の実施例を示す斜視図である。
【図８】（ａ）は図７のＪ−Ｊ′断面図、（ｂ）はその平面図である。
【図９】（ａ）は本発明のさらに他の実施例を示す斜視図、（ｂ）はその平面図である。
【図１０】（ａ）は図９（ｂ）のＢ−Ｂ′矢視図、（ｂ）は同じく図９（ｂ）のＣ−Ｃ′断面図である。
【図１１】（ａ）は本発明の他の実施例を示す斜視図、（ｂ）はその平面図である。
【図１２】（ａ）は図１１（ｂ）のＤ−Ｄ′矢視図、（ｂ）は同じく図１１（ｂ）のＥ−Ｅ′断面図である。
【図１３】（ａ）は本発明のさらに他の実施例を示す斜視図、（ｂ）はその平面図である。
【図１４】（ａ）は図１３（ｂ）のＦ−Ｆ′矢視図、（ｂ）は同じく図１３（ｂ）のＧ−Ｇ′矢視図である。
【図１５】（ａ）は本発明の他の実施例を示す斜視図、（ｂ）はそのＨ−Ｈ′断面図である。
【図１６】本発明のさらに他の実施例を示す斜視図である。
【図１７】図１６の平面図である。
【図１８】図１７のＩ−Ｏ−Ｉ′断面図である。
【図１９】上記実施例において、樹脂製キャップおよび栓体を外した状態を示す説明図である。
【図２０】上記実施例の使用態様の説明図である。
【符号の説明】
【００７２】
１  バイアル瓶
３  口部
４  栓体
５  樹脂製キャップ
６  周壁部
７  天面部
９  線状薄肉部
９′  線状隙間部
【図１】
2008050057.tif 000003
【図２】
2008050057.tif 000004
【図３】
2008050057.tif 000005
【図４】
2008050057.tif 000006
【図５】
2008050057.tif 000007
【図６】
2008050057.tif 000008
【図７】
2008050057.tif 000009
【図８】
2008050057.tif 000010
【図９】
2008050057.tif 000011
【図１０】
2008050057.tif 000012
【図１１】
2008050057.tif 000013
【図１２】
2008050057.tif 000014
【図１３】
2008050057.tif 000015
【図１４】
2008050057.tif 000016
【図１５】
2008050057.tif 000017
【図１６】
2008050057.tif 000018
【図１７】
2008050057.tif 000019
【図１８】
2008050057.tif 000020
【図１９】
2008050057.tif 000021
【図２０】
2008050057.tif 000022